(57)【要約】【課題】本発明は自転車用安全ロックを開示した。【解決手段】本発明は自転車用安全ロックを公示し、ロックを含み、前記ロックの左端面には曲げられるバックルが固定的に設置され、前記ロックの中にはロックチャンバが設置され、前記ロックチャンバの中にはロックブロックがスライド可能に設置され、前記ロックブロックの右端面と前記バックルの右端とが固定的に連結され、前記ロックブロックの中には錠孔が三つ水平方向に設置され、前記ロックブロックの下端壁の中には引掛り溝が設置され、本発明はシンプルな構成と簡単な操作方法を有し、引掛り溝と錠孔とのダブル施錠によって、ロックの安全性と防盗性を増強し、また、当該ロックの構造も利用も簡単で、施錠と解錠の時間を節約でき、携帯にも便利である。【選択図】図１
2020183687.tif 000002
【特許請求の範囲】
【請求項１】
正面視で、ロックを含み、前記ロックの左端面には曲げられるバックルが固定的に設置され、前記ロックの中にはロックチャンバが設置され、前記ロックチャンバの中にはロックブロックがスライド可能に設置され、前記ロックブロックの右端面と前記バックルの右端とが固定的に連結され、前記ロックブロックの中には錠孔が三つ水平方向に設置され、前記ロックブロックの下端壁の中には引掛り溝が設置され、前記ロックチャンバの下側には伝動装置が設置され、前記伝動装置の上端と前記引掛り溝とは引っ掛かることによって連結され、それにより、前記ロックブロックの左端を固定でき、前記伝動装置の右側には前記ロックチャンバと連通した回転チャンバが設置され、前記回転チャンバの中の左右端壁の間には固定軸が固定的に設置され、前記固定軸にはロック回転輪が三つ回転可能に設置され、前記回転チャンバの前側にはパスワード装置が設置され、前記パスワード装置と前記ロック回転輪とは伝動可能に連結され、前記パスワード装置によって前記ロック回転輪を回転させることができ、前記ロック回転輪には固定棒が固定的に設置され、前記固定棒の右側にはスライド溝が設置され、前記スライド溝の中にはロック棒がスライド可能に設置され、前記ロック棒の上端と前記ロックブロックの左端とは当接してスライドでき、前記ロック棒と前記錠孔とは引っ掛かることによって連結され、それにより、前記ロックブロックと前記ロック回転輪とを固定的に連結させることができ、前記ロック棒の下端と前記スライド溝との間には復位ばねが固定的に設置され、前記ロックブロックが前記固定棒と前記ロック棒との間に位置する時に、前記ロックブロックは右へスライドすることで前記ロックとの施錠状態を解除することができ、前記スライド溝の下側には凹溝が設置され、前記ロック回転輪には位置制限ブロックが固定的に設置され、前記回転チャンバの下側には位置制限溝が連通するように設置され、前記位置制限ブロックと前記位置制限溝とはスライド可能に連結され、前記位置制限溝の下側は連通溝を通じて圧迫溝と連通するように設置され、前記連通溝の中には圧迫ブロックがスライド可能に設置され、前記圧迫ブロックの上端は前記ロック回転輪と当接しており、前記圧迫溝の中には弓形板が三つスライド可能に設置され、三つの前記弓形板は前記圧迫ブロックの下端と当接しており、前記弓形板の下端と前記圧迫溝との間には圧迫ばねが固定的に設置され、前記ロック回転輪が回転し前記圧迫ブロックに前記凹溝の中に伸びさせる時に、前記伝動装置を通じて前記ロックブロックの左端を解錠し、そして、三つの前記固定棒と、前記ロック棒と、前記凹溝と、前記圧迫ブロックとの位置が異なるため、デコードの難易度を上げ、安全性を増すことを特徴とする自転車用安全ロック。
【請求項２】
前記伝動装置は前記ロックチャンバと連通した昇降溝を含み、前記昇降溝の中には引掛りブロックがスライド可能に設置され、前記引掛りブロックの上端は前記引掛り溝の中に伸びており、且つ前記ロックブロックを固定し、前記引掛りブロックの下端と前記昇降溝との間にはトーションバネが固定的に設置され、前記引掛りブロックの中には当接溝が設置され、前記昇降溝と前記圧迫溝との間には連結溝が固定的に設置され、前記連結溝の中には前記当接溝と当接した連結ブロックがスライド可能に設置され、前記連結ブロックの左端と前記連結溝との間には圧力ばねが固定的に設置され、前記連結ブロックの右端と前記弓形板とは当接しており、前記連結ブロックが右へ移動することで、前記引掛りブロックを降下させ、前記ロックブロックの左端を解錠できることを特徴とする請求項１に記載の自転車用安全ロック。
【請求項３】
前記パスワード装置は環状のベルト輪を含み、前記ベルト輪は前記ロック回転輪の右端面に固定的に設置され、前記回転チャンバの前側と外部との間にはパスワードチャンバが連通するように設置され、前記パスワードチャンバの中にはパスワード回転輪が三つ回転可能に設置され、前記パスワード回転輪の前端は外部に伸びており、三つの前記パスワード回転輪と三つの前記ベルト輪との間はそれぞれ歯形ベルトによって伝動可能に連結され、正確に前記パスワード回転輪を回すことで、前記ロック回転輪を正しい位置に回転させ、前記ロックブロックを解錠することを特徴とする請求項１に記載の自転車用安全ロック。
【発明の詳細な説明】
【技術分野】
【０００１】
本発明はロック技術分野を取り上げ、具体的には自転車用安全ロックである。
【背景技術】
【０００２】
既存の自転車用ロックは内部構造が簡単であり、盗人は簡単な違法工具を利用するだけでロックを解錠でき、また、ロックの体積が大きく、携帯しにくく、さらに、使用時に、人力で操作しなければならないため、時間も労力もかかり、不便である。
従って、既存の自転車ロックをさらなる一歩の改善をし、自転車ロックの安全性を向上させる。
【先行技術文献】
【特許文献】
【０００３】
【特許文献１】中国特許出願公開第１０９５５５３８１号明細書
【発明の概要】
【発明が解決しようとする課題】
【０００４】
本発明は自転車用安全ロックを提供し、既存技術にある上記の欠点を解消することを目的とする。
【課題を解決するための手段】
【０００５】
本発明の自転車用安全ロックは、ロックを含み、前記ロックの左端面には曲げられるバックルが固定的に設置され、前記ロックの中にはロックチャンバが設置され、前記ロックチャンバの中にはロックブロックがスライド可能に設置され、前記ロックブロックの右端面と前記バックルの右端とが固定的に連結され、前記ロックブロックの中には錠孔が三つ水平方向に設置され、前記ロックブロックの下端壁の中には引掛り溝が設置され、前記ロックチャンバの下側には伝動装置が設置され、前記伝動装置の上端と前記引掛り溝とは引っ掛かることによって連結され、それにより、前記ロックブロックの左端を固定でき、前記伝動装置の右側には前記ロックチャンバと連通した回転チャンバが設置され、前記回転チャンバの中の左右端壁の間には固定軸が固定的に設置され、前記固定軸にはロック回転輪が三つ回転可能に設置され、前記回転チャンバの前側にはパスワード装置が設置され、前記パスワード装置と前記ロック回転輪とは伝動可能に連結され、前記パスワード装置によって前記ロック回転輪を回転させることができ、前記ロック回転輪には固定棒が固定的に設置され、前記固定棒の右側にはスライド溝が設置され、前記スライド溝の中にはロック棒がスライド可能に設置され、前記ロック棒の上端と前記ロックブロックの左端とは当接してスライドでき、前記ロック棒と前記錠孔とは引っ掛かることによって連結され、それにより、前記ロックブロックと前記ロック回転輪とを固定的に連結させることができ、前記ロック棒の下端と前記スライド溝との間には復位ばねが固定的に設置され、前記ロックブロックが前記固定棒と前記ロック棒との間に位置する時に、前記ロックブロックは右へスライドすることで前記ロックとの施錠状態を解除することができ、前記スライド溝の下側には凹溝が設置され、前記ロック回転輪には位置制限ブロックが固定的に設置され、前記回転チャンバの下側には位置制限溝が連通するように設置され、前記位置制限ブロックと前記位置制限溝とはスライド可能に連結され、前記位置制限溝の下側は連通溝を通じて圧迫溝と連通するように設置され、前記連通溝の中には圧迫ブロックがスライド可能に設置され、前記圧迫ブロックの上端は前記ロック回転輪と当接しており、前記圧迫溝の中には弓形板が三つスライド可能に設置され、三つの前記弓形板は前記圧迫ブロックの下端と当接しており、前記弓形板の下端と前記圧迫溝との間には圧迫ばねが固定的に設置され、前記ロック回転輪が回転し前記圧迫ブロックに前記凹溝の中に伸びさせる時に、前記伝動装置を通じて前記ロックブロックの左端を解錠し、そして、三つの前記固定棒と、前記ロック棒と、前記凹溝と、前記圧迫ブロックとの位置が異なるため、デコードの難易度を上げ、安全性を増す。
【０００６】
さらなる技術プランとして、前記伝動装置は前記ロックチャンバと連通した昇降溝を含み、前記昇降溝の中には引掛りブロックがスライド可能に設置され、前記引掛りブロックの上端は前記引掛り溝の中に伸びており、且つ前記ロックブロックを固定し、前記引掛りブロックの下端と前記昇降溝との間にはトーションバネが固定的に設置され、前記引掛りブロックの中には当接溝が設置され、前記昇降溝と前記圧迫溝との間には連結溝が固定的に設置され、前記連結溝の中には前記当接溝と当接した連結ブロックがスライド可能に設置され、前記連結ブロックの左端と前記連結溝との間には圧力ばねが固定的に設置され、前記連結ブロックの右端と前記弓形板とは当接しており、前記連結ブロックが右へ移動することで、前記引掛りブロックを降下させ、前記ロックブロックの左端を解錠できる。
【０００７】
さらなる技術プランとして、前記パスワード装置は環状のベルト輪を含み、前記ベルト輪は前記ロック回転輪の右端面に固定的に設置され、前記回転チャンバの前側と外部との間にはパスワードチャンバが連通するように設置され、前記パスワードチャンバの中にはパスワード回転輪が三つ回転可能に設置され、前記パスワード回転輪の前端は外部に伸びており、三つの前記パスワード回転輪と三つの前記ベルト輪との間はそれぞれ歯形ベルトによって伝動可能に連結され、正確に前記パスワード回転輪を回すことで、前記ロック回転輪を正しい位置に回転させ、前記ロックブロックを解錠する。
【発明の効果】
【０００８】
本発明のメリットは：本発明はシンプルな構成と簡単な操作方法を有し、引掛り溝と錠孔とのダブル施錠によって、ロックの安全性と防盗性を増強し、また、当該ロックの構造も利用も簡単で、施錠と解錠の時間を節約でき、携帯にも便利である。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の自転車用安全ロックの内部全体構成略図
【図２】図２は図１におけるＡの拡大構成略図
【図３】図３は図１におけるＢ―Ｂ方向からの構成略図
【図４】図４は図１におけるＣ―Ｃ方向からの構成略図
【図５】図５は図１におけるＤ―Ｄ方向からの構成略図
【図６】図６は図１におけるＥ―Ｅ方向からの構成略図
【発明を実施するための形態】
【００１１】
図１〜６を参照し、本発明の自転車用安全ロックは、ロック１０を含み、前記ロック１０の左端面には曲げられるバックル１２が固定的に設置され、前記ロック１０の中にはロックチャンバ１３が設置され、前記ロックチャンバ１３の中にはロックブロック１４がスライド可能に設置され、前記ロックブロック１４の右端面と前記バックル１２の右端とが固定的に連結され、前記ロックブロック１４の中には錠孔１５が三つ水平方向に設置され、前記ロックブロック１４の下端壁の中には引掛り溝１７が設置され、前記ロックチャンバ１３の下側には伝動装置１００が設置され、前記伝動装置１００の上端と前記引掛り溝１７とは引っ掛かることによって連結され、それにより、前記ロックブロック１４の左端を固定でき、前記伝動装置１００の右側には前記ロックチャンバ１３と連通した回転チャンバ１６が設置され、前記回転チャンバ１６の中の左右端壁の間には固定軸２４が固定的に設置され、前記固定軸２４にはロック回転輪２５が三つ回転可能に設置され、前記回転チャンバ１６の前側にはパスワード装置２００が設置され、前記パスワード装置２００と前記ロック回転輪２５とは伝動可能に連結され、前記パスワード装置２００によって前記ロック回転輪２５を回転させることができ、前記ロック回転輪２５には固定棒３１が固定的に設置され、前記固定棒３１の右側にはスライド溝３２が設置され、前記スライド溝３２の中にはロック棒３３がスライド可能に設置され、前記ロック棒３３の上端と前記ロックブロック１４の左端とは当接してスライドでき、前記ロック棒３３と前記錠孔１５とは引っ掛かることによって連結され、それにより、前記ロックブロック１４と前記ロック回転輪２５とを固定的に連結させることができ、前記ロック棒３３の下端と前記スライド溝３２との間には復位ばね３４が固定的に設置され、前記ロックブロック１４が前記固定棒３１と前記ロック棒３３との間に位置する時に、前記ロックブロック１４は右へスライドすることで前記ロック１０との施錠状態を解除することができ、前記スライド溝３２の下側には凹溝３６が設置され、前記ロック回転輪２５には位置制限ブロック３５が固定的に設置され、前記回転チャンバ１６の下側には位置制限溝３７が連通するように設置され、前記位置制限ブロック３５と前記位置制限溝３７とはスライド可能に連結され、前記位置制限溝３７の下側は連通溝３８を通じて圧迫溝４０と連通するように設置され、前記連通溝３８の中には圧迫ブロック３９がスライド可能に設置され、前記圧迫ブロック３９の上端は前記ロック回転輪２５と当接しており、前記圧迫溝４０の中には弓形板４１が三つスライド可能に設置され、三つの前記弓形板４１は前記圧迫ブロック３９の下端と当接しており、前記弓形板４１の下端と前記圧迫溝４０との間には圧迫ばね４２が固定的に設置され、前記ロック回転輪２５が回転し前記圧迫ブロック３９に前記凹溝３６の中に伸びさせる時に、前記伝動装置１００を通じて前記ロックブロック１４の左端を解錠し、そして、三つの前記固定棒３１と、前記ロック棒３３と、前記凹溝３６と、前記圧迫ブロック３９との位置が異なるため、デコードの難易度を上げ、安全性を増す。
【００１２】
好ましくは、前記伝動装置１００は前記ロックチャンバ１３と連通した昇降溝１９を含み、前記昇降溝１９の中には引掛りブロック１８がスライド可能に設置され、前記引掛りブロック１８の上端は前記引掛り溝１７の中に伸びており、且つ前記ロックブロック１４を固定し、前記引掛りブロック１８の下端と前記昇降溝１９との間にはトーションバネ３０が固定的に設置され、前記引掛りブロック１８の中には当接溝２０が設置され、前記昇降溝１９と前記圧迫溝４０との間には連結溝２１が固定的に設置され、前記連結溝２１の中には前記当接溝２０と当接した連結ブロック２２がスライド可能に設置され、前記連結ブロック２２の左端と前記連結溝２１との間には圧力ばね２３が固定的に設置され、前記連結ブロック２２の右端と前記弓形板４１とは当接しており、前記連結ブロック２２が右へ移動することで、前記引掛りブロック１８を降下させ、前記ロックブロック１４の左端を解錠できる。
【００１３】
好ましくは、前記パスワード装置２００は環状のベルト輪２６を含み、前記ベルト輪２６は前記ロック回転輪２５の右端面に固定的に設置され、前記回転チャンバ１６の前側と外部との間にはパスワードチャンバ２８が連通するように設置され、前記パスワードチャンバ２８の中にはパスワード回転輪２９が三つ回転可能に設置され、前記パスワード回転輪２９の前端は外部に伸びており、三つの前記パスワード回転輪２９と三つの前記ベルト輪２６との間はそれぞれ歯形ベルト２７によって伝動可能に連結され、正確に前記パスワード回転輪２９を回すことで、前記ロック回転輪２５を正しい位置に回転させ、前記ロックブロック１４を解錠する。
【００１４】
初期状態では、ロックブロック１４とロック１０とは連結されていなく、圧迫ブロック３９とロック回転輪２５とは当接しており、圧力ばね２３と圧迫ばね４２とは圧縮状態にある。
【００１５】
使用時に、バックル１２を車輪に通過させた後、ロックブロック１４をロックチャンバ１３の中に挿し込み、引掛り溝１７と引掛りブロック１８とは引掛り、ロックブロック１４をロックチャンバ１３の中に固定し、この時、ロック棒３３は錠孔１５の中に挿し込まれでおり、圧迫ブロック３９と凹溝３６とは連結されていなく、パスワード回転輪２９を回すことができ、歯形ベルト２７を通じてロック回転輪２５を回転させ、ロック棒３３と錠孔１５との挿入位置を乱し、バックル１２を開ける時に、正しいパスワードでパスワード回転輪２９を回転し、ロック回転輪２５を回転させ、ロックブロック１４が三組の固定棒３１とロック棒３３との間には位置する時に、圧迫ブロック３９の上端は凹溝３６の中に入り、そして弓形板４１は圧迫ばね４２によって上昇し、連結ブロック２２は圧力ばね２３によって右へ移動し、そして引掛りブロック１８は降下し引掛り溝１７と離脱し、それにより、ロックブロック１４を解錠し、続いて、ロックブロック１４を右に引張り、ロックブロック１４をロックチャンバ１３の中から離脱させ、バックル１２を車輪から取り出せば良いのである。
【００１６】
本発明のメリットは：本発明はシンプルな構成と簡単な操作方法を有し、引掛り溝と錠孔とのダブル施錠によって、ロックの安全性と防盗性を増強し、また、当該ロックの構造も利用も簡単で、施錠と解錠の時間を節約でき、携帯にも便利である。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183687.tif 000003
【図２】
2020183687.tif 000004
【図３】
2020183687.tif 000005
【図４】
2020183687.tif 000006
【図５】
2020183687.tif 000007
【図６】
2020183687.tif 000008